(57)【要約】【課題】レジューム機能を備えたコンテンツ再生装置において、レジューム記録が有るコンテンツを再生する場合でも、キーの操作回数が少ない簡単な操作で先頭からの再生が行えるようにする。【解決手段】視聴するコンテンツを選択し（ステップＳ２）、決定キーもしくは再生キーが押下されると（ステップＳ３／Ｙ）、タイマーをリセットし（ステップＳ５）、決定キーもしくは再生キーが押下されている時間Ｔを計測し、再生キーを長押したことが判定されると（ステップＳ９）、そのコンテンツにレジューム記録が有っても先頭から再生される（ステップＳ１０）。【選択図】図３
2008269697.tif 000002
【特許請求の範囲】
【請求項１】
レジューム機能を有する再生装置であって、通常の再生操作とは異なる特定の再生操作を実行するための再生操作手段を備え、該再生操作手段による再生操作が行われた場合、レジューム記録が有るコンテンツであっても先頭から再生することを特徴とするコンテンツ再生装置。
【請求項２】
請求項１に記載のコンテンツ再生装置において、前記再生操作手段は、再生キーの長押しが行われたことを判別するものであることを特徴とするコンテンツ再生装置。
【請求項３】
請求項１に記載のコンテンツ再生装置において、前記再生操作手段は、通常の再生操作に用いるキー以外のキーが操作されたことを判別するものであることを特徴とするコンテンツ再生装置。
【請求項４】
請求項３に記載のコンテンツ再生装置において、通常の再生操作に用いるキー以外のキーは、先頭から再生させるための専用キーであることを特徴とするコンテンツ再生装置。
【発明の詳細な説明】
【技術分野】
【０００１】
本発明はレジューム機能を備えたコンテンツ再生装置に関する。
【背景技術】
【０００２】
一般に、ランダムアクセスが可能な記憶媒体を利用するレジューム機能を備えたコンテンツ再生装置においては、レジューム記録が有るコンテンツを選択して再生キーを押すと、そのレジュームポイント（前回の再生時における停止位置）から再生が行われるようになっている。
しかし、複数人で再生装置を使うような状況では、再生キーを押した時にレジュームポイントから再生されるのは必ずしも便利とは限らない。
例えば、家族で１台のＤＶＤ／ＨＤＤレコーダを利用しているような場合、コンテンツ１をＡさんとＢさんが見たいと思って録画したとする。Ａさんがそのコンテンツ１を視聴し、最後のコマーシャルのところで停止ボタンを押したとする。レジューム機能付のレコーダではこの場所がレジュームポイントとして記憶される。翌日、Ｂさんがコンテンツ１を再生しようとコンテンツリスト画面でコンテンツ１をフォーカスし、決定キーもしくは再生キーを押下した場合、このコマーシャル部分から再生が始まる。Ｂさんが再生開始位置を確認しない場合、コンテンツの先頭から再生されているものを思い込みしばらく見ているとコンテンツが始まるどころか再生終了となってしまい、その時点で初めてレジュームポイントから再生されていたことに気づく、というようなことが発生する。
【０００３】
ところで、レジューム機能付の再生装置において、レジューム記録が有るコンテンツでも先頭から再生できるようにする技術として、特許文献１のようにコンテンツを選択した後、メニュー画面を表示させて「先頭から再生」「続きから再生」を選ぶようにしたものがある。あるいは、特許文献２のように、レジューム再生の有効/無効のモードを切り替え、それを保持手段に記憶しておくという技術がある。このような機能がないものでは、コンテンツの先頭から視聴したい場合、一旦、レジューム再生を行い、戻し操作を行ってから視聴を開始するという操作が必要となる。もし、そのコンテンツがチャプター分割されている場合、何度もチャプター戻しボタンを押さないとコンテンツを先頭から再生することができない。
【特許文献１】特開２００３−７７２５７号公報
【特許文献２】特開２００２−５６６０３号公報
【発明の開示】
【発明が解決しようとする課題】
【０００４】
しかし、メニューキーを操作し、表示されたメニューから「先頭から再生」を選択することにより先頭から再生する特許文献１に見られる先行技術の場合、数回のキー操作が必要であり面倒である。また、レジューム再生の有効／無効のモードを切り替え、それを保持手段に記憶しておく特許文献２のような先行技術では、家族で１台のＤＶＤ／ＨＤＤレコーダを利用しているような場合、誰がいつそのモードを切り替えるか分からず、毎回モードを確認しない限り、どちらのモードになっているのかがわからず、思っている通りの操作にならない可能性がある。レジューム再生が無効の場合、レジューム再生したいにもかかわらず先頭から再生されてしまったり、レジューム機能自体をオフするような機器ではレジューム無効とは知らずに操作した場合、再生は先頭から始まり都合がよかったものの、途中でコンテンツ視聴をやめ、次回続きを見る場合にレジュームされていなかったというようなことが発生する。
【課題を解決するための手段】
【０００５】
本発明は、上述の問題を解決するためになされたものであり、第１の技術手段は、レジューム機能を有する再生装置であって、通常の再生操作とは異なる特定の再生操作を実行するための再生操作手段を備え、該再生操作手段による再生操作が行われた場合、レジューム記録が有るコンテンツであっても先頭から再生することを特徴としたものである。
【０００６】
第２の技術手段は、第１の技術手段において、前記再生操作手段は、再生キーの長押しが行われたことを判別するものであることを特徴としたものである。
【０００７】
第３の技術手段は、第１の技術手段において、前記再生操作手段は、通常の再生操作に用いるキー以外のキーが操作されたことを判別するものであることを特徴としたものである。
【０００８】
第４の技術手段は、第３の技術手段において、通常の再生操作に用いるキー以外のキーは、先頭から再生させるための専用キーであることを特徴としたものである。
【発明の効果】
【０００９】
本発明によれば、レジューム記録が有るコンテンツを再生する場合であっても、キーの操作回数が少ない簡単な操作で先頭から再生させることができる。
【発明を実施するための最良の形態】
【００１０】
以下、本発明の実施形態について、図面を参照しながら説明する。図１は、本発明が適用されるコンテンツ再生装置の一例としてのデジタルＤＶＤ／ＨＤＤレコーダ（以下、「ＤＶＤ／ＨＤＤレコーダ」という。）の構成を概略的に示したブロック図である。
デジタルテレビ放送番組が録画可能なＤＶＤ／ＨＤＤレコーダ１００は、制御部１０１、デジタルテレビ放送受信部１０２、リモコン受信部１０３、操作入力部１０４、録画／再生管理部１０５、録画用蓄積装置１０６、レジューム位置記憶部１０７、復調部１０８、ＴＳデコード部１０９、音声デコード部１１０、音声出力部１１１、映像デコード部１１２、映像／ＯＳＤ信号合成部１１３、ＯＳＤ描画部１１４、映像出力部１１５とを備えている。
【００１１】
制御部１０１は、リモコンＲＣもしくは本体側の操作入力部１０４に対して行われたユーザ操作に応じてデジタルテレビ放送受信部１０２への選局指令、録画／再生管理部１０５への録画、再生に関する指令、ＯＳＤ描画部１１４への表示指令、等々の信号を出力する。
録画用蓄積装置１０６は、録画／再生管理部１０５からの制御信号により復調部１０８で復調されたデジタルテレビ放送信号を録画したり、指定された録画コンテンツを再生する。再生の場合、その録画コンテンツにレジューム記録が有る場合はそのレジューム位置情報をレジューム位置記憶部１０７から取り出し、前回停止した位置から再生を開始する。
【００１２】
ＴＳ（Ｔｒａｎｓｐｏｒｔ  Ｓｔｒｅａｍ）デコード部１０９は、復調部１０８もしくは録画用蓄積装置１０６からの信号をデコードし、音声信号を音声デコード部１１０に、映像信号を映像デコード部１１２にそれぞれ出力する。
映像デコード部１１２および音声デコード１１０にそれぞれ入力されてくる映像および音声信号は、現在のデジタルテレビ放送ではＭＰＥＧ方式で圧縮されている。映像デコード部１１２、音声デコード部１１０では入力される圧縮信号に応じて適切にデコードする。
映像／ＯＳＤ信号合成部１１３は、映像デコード部１１２からの映像信号とＯＳＤ描画部１１４からのオンスクリーン信号を合成して映像出力部１１５に出力する。
【００１３】
図２は、ＤＶＤ／ＨＤＤレコーダに付属するリモコンの一例を示したものであり、例えば、視聴したい録画コンテンツを選択して再生する場合は、まず、コンテンツ一覧キー１１を押下してコンテンツの一覧を表示させ、矢印キー１２を操作して所望のコンテンツをフォーカスし、決定キー１３もしくは再生キー１４を押下する。
その際、選択した録画コンテンツにレジューム記録が有る場合は、そのレジューム位置から再生されることになる。
【００１４】
（第１実施例）
図３は、本発明の第１実施例を説明するためのフローチャートを示す。本実施例は、レジューム記録が有るコンテンツを再生する場合に、再生キーを長押しすることにより、コンテンツを先頭から再生できるようにしたものである。
まず、ユーザがリモコン１０のコンテンツ一覧キー１１を操作することによりコンテンツ一覧画面が表示されることで本処理がスタートする（ステップＳ１）。次いで、矢印キー１２を操作して視聴するコンテンツをフォーカスし（ステップＳ２）、決定キー１３もしくは再生キー１４を押下するとその操作が検知され（ステップＳ３／Ｙ）、さらに、そのコンテンツにレジューム記録が有るか否かを判別し（ステップＳ４）、レジューム記録が有るコンテンツの場合は（ステップＳ４／Ｙ）、内蔵のタイマーがリセットされ（ステップＳ５）、押下時間Ｔの計測が開始され（ステップＳ６）、決定キー１３もしくは再生キー１４の押下を止めたことが検知されると（ステップＳ７／Ｙ）、押下時間Ｔの計測が終了する（ステップＳ８）。
【００１５】
ステップＳ９において、計測された押下時間Ｔが所定時間、例えば、３秒以上であったか否かを判別し、押下時間Ｔが３秒以上の場合は（ステップＳ９／Ｙ）、コンテンツが先頭から再生される（ステップＳ１０）。押下時間Ｔが３秒未満だった場合（ステップＳ９／Ｎ）、すなわち決定キー１３もしくは再生キー１４を長押ししなかった場合、コンテンツはレジューム位置から再生される（ステップＳ１１）。ステップＳ４において、コンテンツにレジューム記録が無い場合はステップＳ１０に進み、コンテンツは先頭から再生される。
【００１６】
以上の実施例においては、再生キー１３、決定キー１４およびステップＳ３〜Ｓ９が本発明における特定の再生操作を実行するための再生操作手段に相当する。また、上述のフローチャートに対応したプログラムは制御部１０１（図１）が備えているＲＯＭなどに格納されており、制御部１０１におけるＣＰＵにより実行される。
【００１７】
なお、本実施例においては、コンテンツ一覧表示画面において、各コンテンツにレジューム記録が有るか否かが分かるようになっていることが望ましい。そうでないと、とにかく先頭から再生したい場合、レジューム記録が無いコンテンツに対してまでキーの長押し操作を行ってしまう場合がある。
【００１８】
（第２実施例）
図４は、本実施例に用いられるリモコンの一例を示し、図５は、図４に示すリモコンにより再生操作を行った場合の処理フローを示す。本実施例は、図４に示すように、コンテンツを先頭から再生するための専用キーである先頭から再生キー１５を、通常の再生キー１４と別に設けるようにしたものである。この場合の処理フローについて、図５のフローチャートにより説明する。
【００１９】
まず、ユーザがリモコン１０′のコンテンツ一覧キー１１を操作することにより、コンテンツ一覧画面が表示されることで本処理がスタートする（ステップＳ２１）。次いで、矢印キー１２を操作して視聴するコンテンツをフォーカスし（ステップＳ２２）、決定キー１３もしくは再生キー１４を押さずに（ステップＳ２３／Ｎ）、先頭から再生キー１５を押下すると（ステップＳ２４／Ｙ）、コンテンツは先頭から再生される（ステップＳ２５）。
【００２０】
一方、視聴するコンテンツをフォーカスして、決定キー１３もしくは再生キー１４を押下した場合（ステップＳ２３／Ｙ）、そのコンテンツにレジューム記録が有れば（ステップＳ２６／Ｙ）、コンテンツをレジューム位置から再生する（ステップＳ２７）。コンテンツにレジューム記録が無い場合は（ステップＳ２６／Ｎ）、コンテンツは先頭から再生される（ステップＳ２５）。
以上の実施例においては、先頭から再生キー１５およびステップＳ２３、Ｓ２４などが本発明における特定の再生操作を実行するための再生操作手段に相当する。また、上述のフローチャートに対応したプログラムは制御部１０１（図１）が備えているＲＯＭ（不図示）などに格納されており、制御部１０１におけるＣＰＵにより実行される。
【００２１】
本実施例の場合、とにかく先頭から再生したい場合は先頭から再生キー１５を押下すれば良いので、上述した第１実施例の場合のように、コンテンツの一覧表示画面で、各コンテンツにレジューム記録の有無を併せて表示しなくとも不都合なことはない。
【００２２】
以上、説明したように、本発明によれば、コンテンツにレジューム記録ある場合であっても簡単な操作で先頭からの再生を行わせることでき、コンテンツに多数のチャプターがある場合などにその威力を発揮する。
なお、本発明は、先頭からの再生を行わせるための特定の再生操作として、上述した実施例の他に例えば、停止キーと一時停止キーを同時に押下するものであってもよい。また、コンテンツ一覧画面が表示されている状態では使用しないキーの中の一つ、例えば、一時停止キーを、「先頭から再生キー」に割り当てるようにしても良い。
【図面の簡単な説明】
【００２３】
【図１】本発明が適用されるコンテンツ再生装置の一例としてのデジタルＤＶＤ／ＤＶＤ／ＨＤＤレコーダの構成を概略的に示したブロック図である。
【図２】ＤＶＤ／ＨＤＤレコーダに付属するリモコンの一例を示す外観図である。
【図３】本発明の第１の実施例を説明するためのフローチャートである。
【図４】本発明の第２実施例に用いられるリモコンの一例を示す外観図である。
【図５】本発明の第２の実施例を説明するためのフローチャートである。
【符号の説明】
【００２４】
１０，１０′…リモコン、１３…決定キー、１４…再生キー、１５…先頭から再生キー、１００…デジタルＤＶＤ／ＨＤＤレコーダ（コンテンツ再生装置）、１０１…制御部、１０５…録画／再生管理部、１０６…録画用蓄積装置、１０７…レジューム位置記憶部。
【図１】
2008269697.tif 000003
【図２】
2008269697.tif 000004
【図３】
2008269697.tif 000005
【図４】
2008269697.tif 000006
【図５】
2008269697.tif 000007